(57)【要約】【課題】高速かつ安定した書込み動作を行い、擬似輪郭が発生することなくかつ滑らかな階調を表示する。【解決手段】プラズマディスプレイパネルの保護層は、金属酸化物を含む薄膜で形成された下地保護層と、酸化マグネシウムの単結晶粒子が複数個凝集した凝集粒子を下地保護層に付着させて形成した粒子層とから構成され、パネル駆動回路は、書込み放電を発生させるための壁電荷を形成する初期化期間Ｔｉと維持放電を発生させるための壁電荷を形成する書込み期間Ｔｗと維持放電を発生させて放電セルを発光させる維持期間Ｔｓとを有するサブフィールドを複数備えた第１サブフィールド群の後に、維持放電を発生させるための壁電荷を消去する書込み期間Ｔｗと維持放電を発生させて放電セルを発光させる維持期間Ｔｓとを有するサブフィールドを複数備えた第２サブフィールド群を時間的に配置して、１フィールド期間を構成してパネルを駆動するように構成した。【選択図】図７
2009258466.tif 000002
【特許請求の範囲】
【請求項１】
第１のガラス基板上に表示電極対を形成し前記表示電極対を覆うように誘電体層を形成し前記誘電体層の上に保護層を形成した前面板と、第２のガラス基板上にデータ電極を形成した背面板とを対向配置して、前記表示電極対と前記データ電極とが対向する位置に放電セルを形成したプラズマディスプレイパネルと、
複数のサブフィールドを時間的に配置して１フィールド期間を構成して前記プラズマディスプレイパネルを駆動するパネル駆動回路とを備えたプラズマディスプレイ装置であって、
前記保護層は、金属酸化物を含む薄膜で形成された下地保護層と、酸化マグネシウムの単結晶粒子が複数個凝集した凝集粒子を前記下地保護層に付着させて形成した粒子層とから構成され、
前記パネル駆動回路は、
書込み放電を発生させるための壁電荷を形成する初期化期間と、維持放電を発生させるための壁電荷を形成する書込み期間と、維持放電を発生させて前記放電セルを発光させる維持期間とを有するサブフィールドを複数備えた第１サブフィールド群の後に、
維持放電を発生させるための壁電荷を消去する書込み期間と、維持放電を発生させて前記放電セルを発光させる維持期間とを有するサブフィールドを複数備えた第２サブフィールド群を時間的に配置して、
１フィールド期間を構成して前記プラズマディスプレイパネルを駆動するように構成したことを特徴とするプラズマディスプレイ装置。
【請求項２】
前記パネル駆動回路は、前記表示電極対を複数の表示電極対グループに分け、第２サブフィールド群に属するサブフィールドの書込み期間において、前記複数の表示電極対グループに対応して前記書込み期間を複数の部分書込み期間に分け、１つの部分書込み期間と次の部分書込み期間との間に壁電荷を補充するための補充期間を設けて、前記プラズマディスプレイパネルを駆動するように構成したことを特徴とする請求項１に記載のプラズマディスプレイ装置。
【発明の詳細な説明】
【技術分野】
【０００１】
本発明は、プラズマディスプレイパネルを用いた画像表示装置であるプラズマディスプレイ装置に関する。
【背景技術】
【０００２】
プラズマディスプレイパネル（以下、「パネル」と略記する）は薄型の画像表示素子の中でも高速表示が可能であり、かつ大型化が容易であることから、大画面表示装置として実用化されている。
【０００３】
パネルは前面板と背面板とを貼り合わせて構成されている。前面板は、ガラス基板と、ガラス基板上に形成された走査電極および維持電極からなる表示電極対と、表示電極対を覆うように形成された誘電体層と、誘電体層上に形成された保護層とを有する。保護層は誘電体層をイオン衝突から保護するとともに放電を発生しやすくする目的で設けられている。
【０００４】
背面板は、ガラス基板と、ガラス基板上に形成されたデータ電極と、データ電極を覆う誘電体層と、誘電体層上に形成された隔壁と、隔壁間に形成された赤色、緑色および青色のそれぞれに発光する蛍光体層とを有する。前面板と背面板とは、表示電極対とデータ電極とが放電空間をはさんで交差するように対向され、周囲を低融点ガラスで封着されている。放電空間にはキセノンを含む放電ガスが封入されている。ここで表示電極対とデータ電極との対向する部分に放電セルが形成される。
【０００５】
このような構成のパネルを用いたプラズマディスプレイ装置は、パネルの各放電セルで選択的にガス放電を発生させ、このとき生じた紫外線で赤色、緑色および青色の各色の蛍光体を励起発光させてカラー表示を行っている。
【０００６】
このようなパネルを用いたプラズマディスプレイ装置で画像を表示する方法として主にサブフィールド法が用いられている。これは、あらかじめ輝度重みの定められた複数のサブフィールドで１フィールド期間を構成し、各サブフィールドで放電セルそれぞれの発光・非発光を制御して画像を表示する方法である。
【０００７】
しかし、各放電セルの点灯・非点灯を各サブフィールドで任意に行うと、動画像を表示した際に輪郭状の著しい階調乱れ、いわゆる擬似輪郭が発生することが知られている。そこで、この擬似輪郭を抑制する方法として、放電セルの発光するサブフィールドが連続するように、また放電セルの発光しないサブフィールドも連続するように制御して階調表示を行うことにより擬似輪郭を抑制する方法が提案されている（例えば、特許文献１参照）。このような表示方法により、擬似輪郭の発生を抑えることができるが、表示できる階調が制限され滑らかな階調を表示することが難しいという問題を抱えていた。
【０００８】
滑らかな階調を表示するためには、１フィールド期間を構成するサブフィールドの数を増加すればよい。上述したサブフィールド法は、初期化期間、書込み期間および維持期間を有する複数のサブフィールドで１フィールド期間を構成し、発光させるサブフィールドの組み合わせによって階調表示を行う方法である。ここで、１フィールド期間を構成するサブフィールドの数を増加するためには、短い時間内に確実な書込み動作を行う必要がある。そのために高速駆動の可能なパネルの開発が進められるとともに、そのパネルの特長を生かして品質の高い画像を表示するための駆動方法および駆動回路についての検討が進められている。
【０００９】
パネルの放電特性は保護層の特性に大きく依存しており、特に高速駆動の可否を左右する電子放出性能と電荷保持性能を改善するために、保護層の材料、構成、製造方法等について多くの検討がなされている。例えば特許文献２には、マグネシウム蒸気を気相酸化して生成することにより２００ｎｍ〜３００ｎｍにカソードルミネッセンス発光ピークを有する酸化マグネシウム層が設けられたパネルと、書込み期間において全表示ラインを構成する表示電極対各々の一方に走査パルスを順に印加するとともに走査パルスが印加される表示ラインに対応した書込みパルスをデータ電極に供給する電極駆動回路とを備えたプラズマディスプレイ装置が開示されている。
【特許文献１】特開平１１−３０５７２６号公報
【特許文献２】特開２００６−５４１５８号公報
【発明の開示】
【発明が解決しようとする課題】
【００１０】
近年は、大画面に加えて高精細度プラズマディスプレイ装置が要望されており、あわせて高い画像表示品質も求められている。このようにライン数が増加する一方で、滑らかな階調を表示するためのサブフィールド数も確保しなければならない。そのため、１ラインあたりの書込み動作に割り当てられる時間はますます短くなる傾向にある。そこで、割り当てられた時間内に確実な書込み動作を行うために、従来以上に高速かつ安定した書込み動作が可能なパネル、その駆動方法、それを実現する駆動回路を備えたプラズマディスプレイ装置が望まれている。
【００１１】
本発明はこのような課題に鑑みなされたもので、高速かつ安定した書込み動作を行い、擬似輪郭が発生することなくかつ滑らかな階調を表示することができる画像表示品質の優れたプラズマディスプレイ装置を提供することを目的とする。
【課題を解決するための手段】
【００１２】
上記目的を達成するために本発明は、第１のガラス基板上に表示電極対を形成し表示電極対を覆うように誘電体層を形成し誘電体層の上に保護層を形成した前面板と、第２のガラス基板上にデータ電極を形成した背面板とを対向配置して、表示電極対とデータ電極とが対向する位置に放電セルを形成したパネルと、複数のサブフィールドを時間的に配置して１フィールド期間を構成してパネルを駆動するパネル駆動回路とを備えたプラズマディスプレイ装置であって、保護層は、金属酸化物を含む薄膜で形成された下地保護層と、酸化マグネシウムの単結晶粒子が複数個凝集した凝集粒子を下地保護層に付着させて形成した粒子層とから構成され、パネル駆動回路は、書込み放電を発生させるための壁電荷を形成する初期化期間と維持放電を発生させるための壁電荷を形成する書込み期間と維持放電を発生させて放電セルを発光させる維持期間とを有するサブフィールドを複数備えた第１サブフィールド群の後に、維持放電を発生させるための壁電荷を消去する書込み期間と維持放電を発生させて放電セルを発光させる維持期間とを有するサブフィールドを複数備えた第２サブフィールド群を時間的に配置して、１フィールド期間を構成してパネルを駆動するように構成したことを特徴とする。この構成により、高速かつ安定した書込み動作を行い、擬似輪郭が発生することなくかつ滑らかな階調を表示することができる画像表示品質の優れたプラズマディスプレイ装置を提供することができる。
【００１３】
また本発明のプラズマディスプレイ装置のパネル駆動回路は、表示電極対を複数の表示電極対グループに分け、第２サブフィールド群に属するサブフィールドの書込み期間において、複数の表示電極対グループに対応して書込み期間を複数の部分書込み期間に分け、１つの部分書込み期間と次の部分書込み期間との間に壁電荷を補充するための補充期間を設けて、パネルを駆動するように構成してもよい。この構成により、走査パルス電圧および書込みパルス電圧を低く設定することができる。
【発明の効果】
【００１４】
本発明によれば、高速かつ安定した書込み動作を行い、擬似輪郭が発生することなくかつ滑らかな階調を表示することができる画像表示品質の優れたプラズマディスプレイ装置を提供することが可能となる。
【発明を実施するための最良の形態】
【００１５】
以下、本発明の一実施の形態におけるプラズマディスプレイ装置について図面を用いて説明する。
【００１６】
（実施の形態）
図１は、本発明の実施の形態におけるパネル１０の構造を示す斜視図である。パネル１０は前面板２０と背面板３０とが対向して配置され、その外周部を低融点ガラスの封着材によって封着されている。パネル１０内部の放電空間１５には、キセノン等の放電ガスが４００Ｔｏｒｒ〜６００Ｔｏｒｒの圧力で封入されている。
【００１７】
前面板２０のガラス基板（第１のガラス基板）２１上には、走査電極２２および維持電極２３よりなる表示電極対２４が平行に複数形成されている。ガラス基板２１上には表示電極対２４を覆うように誘電体層２５が形成され、さらにその誘電体層２５の上に酸化マグネシウムを主成分とする保護層２６が形成されている。
【００１８】
また、背面板３０のガラス基板（第２のガラス基板）３１上には、表示電極対２４と直交する方向に複数のデータ電極３２が互いに平行に形成され、これを誘電体層３３が被覆している。さらに誘電体層３３上には隔壁３４が形成されている。誘電体層３３上および隔壁３４の側面には紫外線によって赤色、緑色および青色にそれぞれ発光する蛍光体層３５が形成されている。ここで、表示電極対２４とデータ電極３２とが交差する位置に放電セルが形成され、赤色、緑色、青色の蛍光体層３５を有する放電セルの一組がカラー表示のための画素になる。なお誘電体層３３は必須ではなく、誘電体層３３を省略した構成であってもよい。
【００１９】
図２は、本発明の実施の形態におけるパネル１０の前面板２０の構成を示す断面図であり、図１に示した前面板２０と上下を逆にして示している。ガラス基板２１上に、走査電極２２と維持電極２３よりなる表示電極対２４が形成されている。走査電極２２は、インジウムスズ酸化物や酸化スズ等から形成された透明電極２２ａと、透明電極２２ａ上に形成されたバス電極２２ｂとにより構成されている。同様に維持電極２３は、透明電極２３ａとその上に形成されたバス電極２３ｂとにより構成されている。バス電極２２ｂ、バス電極２３ｂは透明電極２２ａ、透明電極２３ａの長手方向に導電性を付与するために設けられ、銀を主成分とする導電性材料によって形成されている。
【００２０】
誘電体層２５は、本実施の形態においては、透明電極２２ａ、透明電極２３ａおよびバス電極２２ｂ、バス電極２３ｂを覆うように形成された第１誘電体層２５ａと、第１誘電体層２５ａ上に形成された第２誘電体層２５ｂの２層構造である。しかし、誘電体層２５は必ずしも２層構造である必要はなく、単層構造または３層以上の構造であってもよい。
【００２１】
そして誘電体層２５上には保護層２６が形成されている。以下に、保護層２６の詳細について説明する。誘電体層２５をイオン衝突から保護するとともに駆動の速度を大きく左右する電子放出性能と電荷保持性能を改善するために、保護層２６は、第２誘電体層２５ｂの上に形成された下地保護層２６ａと、下地保護層２６ａ上に形成された粒子層２６ｂとから構成されている。
【００２２】
下地保護層２６ａは酸化マグネシウムを主成分とする薄膜であり、その厚みは、例えば０．３μｍ〜１．０μｍである。
【００２３】
粒子層２６ｂは、酸化マグネシウムの単結晶粒子２７が複数個凝集した凝集粒子２８を、下地保護層２６ａの全面にわたってほぼ均一に分布するように離散的に付着させることにより構成している。なお、図２には凝集粒子２８を拡大して示している。図３は、本発明の実施の形態におけるパネル１０の凝集粒子２８の一例を示す図である。凝集粒子２８とは、このように単結晶粒子２７が凝集またはネッキングした状態のもので、静電気やファンデルワールス力等によって複数の単結晶粒子２７が集合体をなしているものである。単結晶粒子２７としては、１４面体や１２面体等の７面以上の面を持ち、粒径が０．９μｍ〜２．０μｍ程度の多面体形状を有するものが望ましい。また凝集粒子２８としては単結晶粒子２７が２個〜５個凝集したものが望ましく、凝集粒子２８の粒径としては、０．３μｍ〜５μｍ程度のものが望ましい。
【００２４】
上述した条件を満たす単結晶粒子２７およびそれらが凝集した凝集粒子２８は、次のようにして生成することができる。例えば、炭酸マグネシウムや水酸化マグネシウム等の酸化マグネシウム前駆体を焼成して生成する場合、焼成温度を比較的高い１０００度以上に設定することで、粒径を０．３μｍ〜２μｍ程度に制御することができる。さらに、酸化マグネシウム前駆体を焼成することにより、単結晶粒子２７同士が凝集またはネッキングした凝集粒子２８を得ることができる。
【００２５】
次に、上述した保護層２６の効果について説明する。本実施の形態における保護層２６の効果を確認するために、構成の異なる３種類の保護層を有するパネルを試作し、それらの放電特性を調べた。１種類目の試作パネルは、酸化マグネシウムを主成分とする薄膜の下地保護層２６ａのみからなる保護層を備えたパネルである。２種類目の試作パネルは、酸化マグネシウムを主成分とする薄膜の下地保護層２６ａの上に酸化マグネシウムの単結晶粒子２７を凝集させずに散布し付着させたパネルである。３種類目の試作パネルは本実施の形態におけるパネルであり、酸化マグネシウムを主成分とする薄膜の下地保護層２６ａの上に酸化マグネシウムの単結晶粒子２７を凝集させて凝集粒子２８を全面にわたってほぼ均一に分布するように離散的に付着させたパネルである。
【００２６】
これらの３種類のパネルについて、電子放出性能と電荷保持性能とを調べた。電子放出性能が高いほど放電が発生しやすく放電遅れが小さくなる。そこで３種類のパネルのそれぞれの放電遅れ時間を測定して統計遅れ時間を推定し、その逆数を積分した数値Ｋをそれぞれのパネルの電子放出性能を示す数値とした。従ってこの数値Ｋが大きいほど電子放出性能が高いパネルである。
【００２７】
また電荷保持性能が低いパネルでは、後述するパネルの駆動方法において、電荷を補償するために走査電極２２に印加する走査パルス電圧を高くする必要がある。またデータ電極３２に印加する書込みパルス電圧を高くする必要がある。そこでそれぞれのパネルを駆動するために必要な走査パルスの最低電圧Ｖｍｉｎを、電荷保持性能を示す数値として用いた。従ってこの電圧Ｖｍｉｎが小さいほど電荷保持性能が高いパネルである。
【００２８】
図４は、本発明の実施の形態におけるパネルを含む３種類の試作パネル１１〜試作パネル１３の電子放出性能と電荷保持性能とを示す図である。１種類目の試作パネル１１は、電圧Ｖｍｉｎが低く、数値Ｋも低い。従って、電荷保持性能は高いが電子放出性能が低いパネルであることがわかる。また２種類目の試作パネル１２は、電圧Ｖｍｉｎ、数値Ｋともに高い。従って、電子放出性能は高いが電荷保持性能は低いパネルである。
【００２９】
一方、本実施の形態における３種類目の試作パネル１３は、電圧Ｖｍｉｎが低く数値Ｋは高い。従って、電子放出性能が高く、かつ電荷保持性能も高い良好な特性を示すパネル１０であることがわかる。このように、酸化マグネシウムを主成分とする薄膜の下地保護層２６ａと、下地保護層２６ａの上に酸化マグネシウムの単結晶粒子２７を凝集させて凝集粒子２８を全面にわたってほぼ均一に分布するように付着させた粒子層２６ｂとを有する保護層２６を設けることにより、電子放出性能が高く、かつ電荷保持性能も高い良好な特性を示すパネルを得ることができる。
【００３０】
次に、単結晶粒子２７の粒径について説明する。なお、以下の説明において粒径とはメジアン径を意味している。
【００３１】
図５（ａ）は、試作パネル１３の、単結晶粒子２７の粒径を変化させて電子放出性能を調べた実験結果を示す図である。なお粒径は、単結晶粒子２７を電子顕微鏡で観察することにより測長した。単結晶粒子２７の粒径が０．３μｍ程度に小さくなると電子放出性能が低くなり、粒径が０．９程度μｍ以上であれば高い電子放出性能が得られることが実験によりわかった。しかしながら本発明者らは、背面板３０の隔壁３４の頂部と接触する位置に粒径の大きい単結晶粒子２７が存在すると、隔壁３４の頂部を破損させる確率が増加することを実験的に確認した。図５（ｂ）は、試作パネル１３の単結晶粒子２７の粒径と隔壁３４の破損との関係を示す図である。このように、単結晶粒子２７の粒径が２．５μｍ程度に大きくなると、隔壁破損の確率が急激に高くなるが、２．５μｍより小さい結晶粒子径であれば、隔壁破損の確率は比較的小さく抑えることができることがわかる。
【００３２】
以上の結果から、単結晶粒子２７の粒径は０．９μｍ以上２．５μｍ以下であることが望ましいと考えられる。しかし製造上のばらつき等を考慮して、粒径が０．９μｍ〜２μｍの範囲にある単結晶粒子２７の凝集粒子２８を使用することが望ましい。このように保護層２６を構成すれば、隔壁３４を破損するおそれがなく、電子放出性能が高く、かつ電荷保持性能も高い良好な特性を示すパネル１０を得ることができる。
【００３３】
なお本実施の形態においては、酸化マグネシウムを主成分とする薄膜の下地保護層２６ａを用いたパネル１０について説明したが、本発明はこれに限定されるものではない。保護層２６は誘電体層２５をイオン衝突から保護するとともに放電を発生しやすくする目的で設けられている。そして本実施の形態においては保護層２６を下地保護層２６ａと粒子層２６ｂとで構成し、下地保護層２６ａは主に誘電体層２５を保護し、粒子層２６ｂは主に放電を発生しやすくする役割を持つ。そのため下地保護層２６ａとして、アルミニウムを含む酸化マグネシウム、酸化アルミニウム、または高い耐スパッタ性能を有する金属酸化物を含むその他の材料を用いて形成してもよい。また、粒子層２６ｂを形成する単結晶粒子２７としては、ストロンチウム、カルシウム、バリウム、アルミニウム等を含む酸化マグネシウムを用いてもよく、また酸化ストロンチウム、酸化カルシウム、酸化バリウム等を主成分とする単結晶粒子を用いて粒子層２６ｂを形成してもよい。
【００３４】
次に、本発明の実施の形態におけるパネル１０の駆動方法について説明する。
【００３５】
図６は、本発明の実施の形態におけるパネル１０の電極配列を示す図である。パネル１０には、行方向（ライン方向）に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。放電セルの数は、例えば、ｍ＝１９２０×３＝５７６０、ｎ＝１０８０である。表示電極対の数について特に制限はないが、本実施の形態においては、ｎ＝１０８０として説明する。
【００３６】
そして走査電極ＳＣ１〜ＳＣ１０８０および維持電極ＳＵ１〜ＳＵ１０８０からなる１０８０対の表示電極対は、複数の表示電極対グループに分けられている。本実施の形態においては、パネルを上下方向に４分割して４つの表示電極対グループに分け、パネルの上部に位置する表示電極対から順に、第１の表示電極対グループ、第２の表示電極対グループ、第３の表示電極対グループ、第４の表示電極対グループとする。すなわち走査電極ＳＣ１〜ＳＣ２７０および維持電極ＳＵ１〜ＳＵ２７０が第１の表示電極対グループに属し、走査電極ＳＣ２７１〜ＳＣ５４０および維持電極ＳＵ２７１〜ＳＵ５４０が第２の表示電極対グループに属し、走査電極ＳＣ５４１〜ＳＣ８１０および維持電極ＳＵ５４１〜ＳＵ８１０が第３の表示電極対グループに属し、走査電極ＳＣ８１１〜ＳＣ１０８０および維持電極ＳＵ８１１〜ＳＵ１０８０が第４の表示電極対グループに属している。
【００３７】
次に、パネル１０を駆動するために各電極に印加する駆動電圧波形について説明する。パネル１０は、サブフィールド法、すなわち１フィールド期間を複数のサブフィールドに分割し、サブフィールド毎に各放電セルの発光・非発光を制御することによって階調表示を行う。本実施の形態においては、複数のサブフィールドを第１サブフィールド群と第２サブフィールド群との２つのサブフィールド群に分けてパネル１０を駆動している。
【００３８】
第１サブフィールド群に属するサブフィールドのそれぞれには初期化期間と書込み期間と維持期間とを有する。初期化期間では初期化放電を発生して、それまでの放電セルの壁電荷の履歴を消去するとともに書込み放電を発生させるための壁電荷を形成する。書込み期間では、発光させる放電セルで書込み放電を発生し維持放電を発生させるための壁電荷を形成する。このような書込み動作を、以下「正論理書込み」と称する。そして維持期間では、輝度重みに応じた数の維持パルスを表示電極対に交互に印加して、正論理書込みを行った放電セルで維持放電を発生させて発光させる。
【００３９】
第１サブフィールド群に属するサブフィールドでは、それぞれのサブフィールドの書込み放電を制御することで、他のサブフィールドにおける維持放電の有無等に依存することなく、放電セルを発光または非発光させることができる。このようにサブフィールド毎に独立に発光・非発光を制御する駆動を、以下「ランダム駆動」と称する。
【００４０】
一方、第２サブフィールド群に属するサブフィールドのそれぞれには初期化期間を設けず、書込み期間および維持期間を設けている。書込み期間では、発光させない放電セルで書込み放電を発生し維持放電を発生させるための壁電荷を消去する。このような書込み動作を、以下「負論理書込み」と称する。そして維持期間では、輝度重みに応じた数の維持パルスを表示電極対に交互に印加して、書込み放電を発生させなかった放電セルで維持放電を発生させて発光させる。
【００４１】
第２サブフィールド群に属するサブフィールドでは、維持放電を発生させるための壁電荷を形成する動作は行われず、書込み期間において維持放電を発生させるための壁電荷を消去するための動作が行われる。そのため直前のサブフィールドで維持放電を発生しなかった放電セルでは、次に初期化動作を行うまで維持放電が発生することはない。また一旦書込み動作を行った放電セルでは、次に初期化動作を行うまで維持放電を発生することはない。
【００４２】
その結果、第２サブフィールド群に属するサブフィールドでは、放電セルの発光するサブフィールドが連続し、また発光しないサブフィールドも連続することになる。このように、放電セルの発光・非発光が連続するように制御して階調表示を行う駆動を、以下「連続駆動」と略記する。
【００４３】
本実施の形態においては、１フィールドを１１のサブフィールド（第１ＳＦ、第２ＳＦ、・・・、第１１ＳＦ）に分割し、各サブフィールドはそれぞれ（８、４、２、１、１６、２０、２６、３２、４０、４８、５８）の輝度重みを持つ。そして第１ＳＦ〜第４ＳＦは正論理書込みを用いてランダム駆動を行う第１サブフィールド群であり、第５ＳＦ〜第１１ＳＦは負論理書込みを用いて連続駆動を行う第２サブフィールド群である。また第１サブフィールド群に属する第１ＳＦの初期化期間では全ての放電セルで初期化放電を発生する全セル初期化動作を行い、第２ＳＦ〜第４ＳＦの初期化期間では直前のサブフィールドにおいて維持放電を行った放電セルで選択的に初期化放電を発生する選択初期化動作を行う。
【００４４】
以下、本実施の形態におけるパネルの駆動方法の詳細について説明する。図７および図８は、本発明の実施の形態におけるパネル１０の各電極に印加する駆動電圧波形図であり、図７は主に第１サブフィールド群に属する駆動電圧波形を示し、図８は主に第２サブフィールド群に属する駆動電圧波形を示している。
【００４５】
まず、第１サブフィールド群に属する駆動電圧波形について説明する。
【００４６】
第１ＳＦの初期化期間Ｔｉの前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。
【００４７】
この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上に負の壁電圧が蓄積されるとともに、データ電極Ｄ１〜Ｄｍ上および維持電極ＳＵ１〜ＳＵｎ上には正の壁電圧が蓄積される。ここで、電極上の壁電圧とは電極を覆う誘電体層上、保護層上、蛍光体層上等に蓄積された壁電荷により生じる電圧を表す。このときの初期化放電では、初期化期間Ｔｉの後半部において壁電圧の最適化を図ることを見越して、過剰に壁電圧を蓄えておく。
【００４８】
初期化期間Ｔｉの後半部では、維持電極ＳＵ１〜ＳＵｎに電圧Ｖｅ１を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上の負の壁電圧および維持電極ＳＵ１〜ＳＵｎ上の正の壁電圧が弱められ、データ電極Ｄ１〜Ｄｍ上の正の壁電圧は書込み動作に適した値に調整される。以上により、全ての放電セルに対して初期化放電を行う全セル初期化動作が終了する。
【００４９】
続く書込み期間Ｔｗでは、維持電極ＳＵ１〜ＳＵｎに電圧Ｖｅ１を、走査電極ＳＣ１〜ＳＣｎに電圧Ｖｃを印加する。
【００５０】
次に、１ライン目の走査電極ＳＣ１に負の走査パルス電圧Ｖａを印加するとともに、データ電極Ｄ１〜Ｄｍのうち１ライン目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００５１】
ここで、走査パルス電圧Ｖａと書込みパルス電圧Ｖｄを印加した後、書込み放電が発生するまでの時間を「放電遅れ時間」と称する。仮にパネルの電子放出性能が低く放電遅れ時間が長くなると、確実に書込み動作を行うために走査パルス電圧Ｖａと書込みパルス電圧Ｖｄとを印加する時間、すなわち走査パルス幅と書込みパルス幅とを長く設定する必要があり、高速に書込み動作を行うことができなくなる。また仮にパネルの電荷保持性能が低いと、壁電圧の減少を補うために走査パルス電圧Ｖａと書込みパルス電圧Ｖｄとの電圧値を高く設定する必要がある。しかしながら本実施の形態におけるパネル１０は電子放出性能が高いので、走査パルス幅および書込みパルス幅を従来のパネルより短く設定することができ、安定して高速に書込み動作を行うことができる。また本実施の形態におけるパネル１０は電荷保持性能が高いので、走査パルス電圧Ｖａと書込みパルス電圧Ｖｄとの電圧値を従来のパネルより低く設定することができる。
【００５２】
このようにして、１ライン目に発光させるべき放電セルで書込み放電を起こして維持放電に必要な壁電荷を蓄積する正論理書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の正論理書込み動作をｎライン目の放電セルに至るまで行い、書込み期間Ｔｗが終了する。
【００５３】
続く維持期間Ｔｓでは、まず走査電極ＳＣ１〜ＳＣｎに正の維持パルス電圧Ｖｓを印加するとともに維持電極ＳＵ１〜ＳＵｎに０（Ｖ）を印加する。すると正論理書込みを行った放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００５４】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間Ｔｗにおいて正論理書込みを行わなかった放電セルでは維持放電は発生せず、初期化期間Ｔｉの終了時における壁電圧が保たれる。
【００５５】
続いて、走査電極ＳＣ１〜ＳＣｎには０（Ｖ）を、維持電極ＳＵ１〜ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに応じた数の維持パルスを印加し、表示電極対の電極間に電位差を与えることにより、正論理書込みを行った放電セルで維持放電が継続して発生する。
【００５６】
そして、維持期間Ｔｓの最後には走査電極ＳＣ１〜ＳＣｎに上り傾斜波形電圧を印加して、データ電極Ｄｋ上の正の壁電圧を残したまま、走査電極ＳＣｉおよび維持電極ＳＵｉ上の壁電圧を消去する。
【００５７】
続く第２ＳＦの初期化期間Ｔｉでは、維持電極ＳＵ１〜ＳＵｎに電圧Ｖｅ１を、データ電極Ｄ１〜Ｄｍに０（Ｖ）をそれぞれ印加し、走査電極ＳＣ１〜ＳＣｎに電圧Ｖｉ４に向かって緩やかに下降する下り傾斜波形電圧を印加する。すると直前のサブフィールドで維持放電を発生した放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。
【００５８】
一方、直前のサブフィールドで維持放電を起こさなかった放電セルでは放電することはなく、前のサブフィールドの初期化期間終了時における壁電荷がそのまま保たれる。このように第２ＳＦの初期化動作は、直前のサブフィールドの維持期間で維持動作を行った放電セルに対して選択的に初期化放電を行う選択初期化動作である。
【００５９】
続く書込み期間Ｔｗの動作は第１ＳＦの書込み期間Ｔｗの動作と同様であるため説明を省略する。続く維持期間Ｔｓの動作も維持パルスの数を除いて第１ＳＦの維持期間Ｔｓの動作と同様である。続く第３ＳＦの動作も維持パルスの数を除いて第２ＳＦの動作と同様である。さらに第４ＳＦの初期化期間Ｔｉ、書込み期間Ｔｗの動作も第２ＳＦの動作と同様である。
【００６０】
そして第４ＳＦの維持期間Ｔｓでは、第１ＳＦ〜第３ＳＦの維持期間Ｔｓと同様に、走査電極ＳＣ１〜ＳＣｎと維持電極ＳＵ１〜ＳＵｎとに交互に輝度重みに応じた数の維持パルスを印加し、表示電極対の電極間に電位差を与えることにより、正論理書込みを行った放電セルで維持放電が継続して行われる。
【００６１】
そして、第４ＳＦの維持期間Ｔｓの最後には、走査電極ＳＣ１〜ＳＣｎに維持パルス電圧Ｖｓを印加するとともに維持電極ＳＵ１〜ＳＵｎに０（Ｖ）を印加して書込み放電を起こした放電セルで維持放電を発生させる。そして走査電極ＳＣｉ上に負の壁電圧を蓄積し、維持電極ＳＵｉ上に正の壁電圧を蓄積し、さらにデータ電極Ｄｋ上にも正の壁電圧が蓄積した状態で第４ＳＦの維持期間Ｔｓを終える。
【００６２】
このように、第１サブフィールド群の最後のサブフィールドの維持期間Ｔｓにおいては、走査電極ＳＣｉおよび維持電極ＳＵｉ上の壁電圧を消去することなく、走査電極ＳＣｉ上に負の壁電圧を蓄積し、維持電極ＳＵｉ上に正の壁電圧を蓄積した状態で維持期間Ｔｓを終える。この壁電圧は、続く第２サブフィールド群のサブフィールドで維持放電を発生させるために用いられる。
【００６３】
なお第４ＳＦで維持放電を発生しなかった放電セルの走査電極ＳＣｉ上および維持電極ＳＵｉ上には壁電圧が蓄積されていない。そのため第４ＳＦで維持放電を発生しなかった放電セルでは、続く第２サブフィールド群の第５ＳＦ〜第１１ＳＦでも維持放電を発生することはない。
【００６４】
次に、第２サブフィールド群に属するサブフィールドの駆動電圧波形について、図８を用いて説明する。第２サブフィールド群に属するサブフィールドの書込み期間Ｔｗでは、４つの表示電極対グループに対応して書込み期間Ｔｗを４つの部分書込み期間（第１期間Ｔｗ１、第２期間Ｔｗ２、第３期間Ｔｗ３、第４期間Ｔｗ４）に分ける。そして、部分書込み期間と次の部分書込み期間との間に、壁電荷を補充するための補充期間Ｔｒをそれぞれ設けている。
【００６５】
第５ＳＦの書込み期間Ｔｗの第１期間Ｔｗ１では、維持電極ＳＵ１〜ＳＵｎに電圧Ｖｅ２を、走査電極ＳＣ１〜ＳＣｎに電圧Ｖｃを印加する。そして、１ライン目の走査電極ＳＣ１に走査パルス電圧Ｖａを印加するとともにデータ電極Ｄ１〜Ｄｍのうち１ライン目に発光させない放電セルのデータ電極Ｄｈ（ｈ＝１〜ｍ）に書込みパルス電圧Ｖｄを印加する。するとデータ電極Ｄｈと走査電極ＳＣ１との間および維持電極ＳＵ１と走査電極ＳＣ１との間に書込み放電が起こり、走査電極ＳＣ１上の壁電圧および維持電極ＳＵ１上の壁電圧が消去される。なお壁電圧の消去とは、後述する維持期間において維持放電が発生しない程度に壁電圧が弱められることを意味している。
【００６６】
以上の負論理書込みを第１の表示電極対グループに属する２７０ライン目の放電セルに至るまで行う。なおこのときの負論理書込み動作の放電遅れ時間も短く、走査パルス幅および書込みパルス幅を従来のパネルより短く設定することができ、安定して高速に書込み動作を行うことができる。
【００６７】
続く補充期間Ｔｒでは、まず走査電極ＳＣ１〜ＳＣｎに０（Ｖ）を、維持電極ＳＵ１〜ＳＵｎに維持パルス電圧Ｖｓをそれぞれ印加する。すると直前の第４ＳＦで維持放電を発生しかつ第５ＳＦの第１期間Ｔｗ１で負論理書込みを行っていない放電セルでは、走査電極ＳＣｉと維持電極ＳＵｉとの間に放電が発生する。補充期間Ｔｒにおけるこれらの放電（以下、「補充放電」と称する）は維持放電と同様の放電であり、補充放電を発生した放電セルのデータ電極上に正の壁電荷が補充される。続いて走査電極ＳＣ１〜ＳＣｎに維持パルス電圧Ｖｓを、維持電極ＳＵ１〜ＳＵｎに０（Ｖ）をそれぞれ印加する。すると再び走査電極ＳＣｉと維持電極ＳＵｉとの間に補充放電が発生する。
【００６８】
続く第２期間Ｔｗ２では、第２の表示電極対グループに属する２７１ライン目〜５４０ライン目の放電セルで負論理書込み動作を行う。そして次の補充期間Ｔｒで補充放電を発生させ、データ電極上の壁電荷を補充する。続く第３期間Ｔｗ３では、第３の表示電極対グループに属する５４１ライン目〜８１０ライン目の放電セルで負論理書込み動作を行う。そして続く補充期間Ｔｒで補充放電を発生させて壁電荷を補充する。続く第４期間Ｔｗ４では、第４の表示電極対グループに属する８１１ライン目〜１０８０ライン目の放電セルで負論理書込み動作を行う。以上で、第５ＳＦの書込み期間Ｔｗを終了する。
【００６９】
本実施の形態におけるパネル１０は電荷保持性能が高いものの、負論理書込みを行うと壁電荷が減少することが確認された。仮に、補充期間Ｔｒを設けることなくｎライン分の負論理書込み動作を連続して行ったと仮定すると、壁電荷の減少にともない壁電圧が低下して、走査パルス電圧Ｖａおよび書込みパルス電圧Ｖｄの電圧を上昇させなければならない。しかしながら本実施の形態においては、１／４ライン分の負論理書込みを行う毎に、補充期間Ｔｒを設けてデータ電極上の壁電荷を補充しているため、壁電圧が大きく低下することなく、走査パルス電圧Ｖａおよび書込みパルス電圧Ｖｄの電圧を低く設定することができる。
【００７０】
続く維持期間Ｔｓでは、まず走査電極ＳＣ１〜ＳＣｎに０（Ｖ）を印加するとともに維持電極ＳＵ１〜ＳＵｎに維持パルス電圧Ｖｓを印加する。すると直前のサブフィールドで維持放電を発生しかつ負論理書込みを行わなかった放電セルでは維持放電が発生し放電セルが発光する。そして走査電極ＳＣｉ上に正の壁電圧が蓄積され、維持電極ＳＵｉ上に負の壁電圧が蓄積される。なお、直前のサブフィールドで維持放電を発生しなかった放電セルまたは書込み期間において負論理書込みを行った放電セルでは維持放電は発生しない。
【００７１】
次に走査電極ＳＣ１〜ＳＣｎには維持パルス電圧Ｖｓを、維持電極ＳＵ１〜ＳＵｎには０（Ｖ）をそれぞれ印加する。すると、維持放電を起こした放電セルでは、走査電極ＳＣｉ上と維持電極ＳＵｉ上との電圧差が放電開始電圧を超えるので再び維持放電が起こり、走査電極ＳＣｉ上に負の壁電圧が蓄積され維持電極ＳＵｉ上に正の壁電圧が蓄積される。
【００７２】
以降同様に、維持電極ＳＵ１〜ＳＵｎと走査電極ＳＣ１〜ＳＣｎとに交互に輝度重みに応じた数の維持パルスを印加し、表示電極対の電極間に電位差を与えることにより、書込み期間において書込み放電を起こさなかった放電セルで維持放電が継続して行われる。
【００７３】
続く第６ＳＦ〜第１１ＳＦの動作についても維持パルスの数を除いて第５ＳＦの動作と同様である。
【００７４】
なお、本実施の形態においては、走査電極ＳＣ１〜ＳＣｎに印加する電圧Ｖｉ１は１２０（Ｖ）、電圧Ｖｉ２は３５０（Ｖ）、電圧Ｖｉ３は２１０（Ｖ）、電圧Ｖｉ４は−１０５（Ｖ）、電圧Ｖｃは０（Ｖ）、電圧Ｖａは−１２０（Ｖ）、電圧Ｖｓは２１０（Ｖ）であり、維持電極ＳＵ１〜ＳＵｎに印加する電圧Ｖｅ１は−１４０（Ｖ）、電圧Ｖｅ２は５０（Ｖ）、電圧Ｖｓは２１０（Ｖ）であり、データ電極Ｄ１〜Ｄｍに印加する電圧Ｖｄは６０（Ｖ）である。また走査電極ＳＣ１〜ＳＣｎに印加する上り傾斜波形電圧の傾斜は１．０Ｖ／μであり、下り傾斜波形電圧の傾斜は−１．３Ｖ／μである。また走査パルスのパルス幅および書込みパルスのパルス幅はともに１．０μｓである。しかしこれらの電圧値は上述した値に限定されるものではなく、パネルの放電特性やプラズマディスプレイ装置の仕様にもとづき最適に設定することが望ましい。
【００７５】
以上に説明したように、本実施の形態におけるパネル１０の保護層２６は、酸化マグネシウムを含む薄膜で形成された下地保護層２６ａと、酸化マグネシウムの単結晶粒子が複数個凝集した凝集粒子２８を下地保護層２６ａの全面にわたって離散的に付着させて形成した粒子層２６ｂとから構成されている。そのためパネル１０は、電子放出性能および電荷保持性能が優れている。そしてパネル駆動回路は、１フィールド期間を構成する複数のサブフィールドを２つのサブフィールド群に分け、第１サブフィールド群に属するサブフィールドでは、書込み放電を発生させるための壁電荷を形成する初期化期間と、維持放電を発生させるための壁電荷を形成する書込み期間と、維持放電を発生させて放電セルを発光させる維持期間とを有し、正論理書込みを用いてランダム駆動を行う。また第２サブフィールド群に属するサブフィールドでは、維持放電のための壁電荷を消去する書込み期間と、維持放電を発生させて放電セルを発光させる維持期間とを有し、負論理書込みを用いて連続駆動を行う。
【００７６】
このように本実施の形態においては、電子放出性能が高く高速駆動可能なパネル１０の性能を生かして書込み期間を短縮し、連続駆動を行う第２サブフィールド群のサブフィールド数を十分に確保して、擬似輪郭の発生しない画像表示を実現している。あわせてランダム駆動を行う第１サブフィールド群を併用することにより滑らかな階調表示を実現している。また第２サブフィールド群に属するサブフィールドにおいて、複数の表示電極対グループに対応して書込み期間を複数の部分書込み期間に分け、１つの部分書込み期間と次の部分書込み期間との間に壁電荷を補充するための補充期間を設けてデータ電極上の壁電荷を補充しているため、走査パルス電圧Ｖａおよび書込みパルス電圧Ｖｄの電圧を低く設定することができる。
【００７７】
なお、本実施の形態においては、１フィールドを１１のサブフィールド（第１ＳＦ、第２ＳＦ、・・・、第１１ＳＦ）に分割し、各サブフィールドはそれぞれ（８、４、２、１、１６、２０、２６、３２、４０、４８、５８）の輝度重みを持ち、第１ＳＦ〜第４ＳＦは正論理書込みを用いてランダム駆動を行う第１サブフィールド群であり、第５ＳＦ〜第１１ＳＦは負論理書込みを用いて連続駆動を行う第２サブフィールド群であるものとして説明した。しかしながらサブフィールド数、輝度重み等のサブフィールド構成はこれに限定されるものではなく、パネルの特性、プラズマディスプレイ装置の仕様等により、最適に設定することが望ましい。
【００７８】
また、本実施の形態においては、各サブフィールドの維持期間において表示電極対に維持パルスを印加するものとして説明したが、維持パルスを印加しない維持期間、すなわち、表示電極対に維持パルスを印加することなしに、走査電極ＳＣ１〜ＳＣｎに維持パルス電圧Ｖｓを印加するとともに維持電極ＳＵ１〜ＳＵｎに０（Ｖ）を印加して書込み放電を起こした放電セルで壁電圧を消去する維持期間を有するサブフィールドを備えてもよい。これによって、暗い画像でも滑らかな画像表示を行うことができる。
【００７９】
また、本実施の形態においては、第１サブフィールド群に属するサブフィールドは輝度重みが単調減少となるように配置されている。本発明はこれに限定されるものではないが、発明者らは、輝度重みが単調減少となるようにサブフィールドを配置することにより書込み放電の放電遅れ時間が短くなることを実験的に確認している。
【００８０】
次に、実施の形態において説明した駆動電圧波形を発生させるための駆動回路の一例について説明する。
【００８１】
図９は、本発明の実施の形態におけるプラズマディスプレイ装置１００の回路ブロック図である。プラズマディスプレイ装置１００は、パネル１０とパネル駆動回路とを備えている。パネル駆動回路は、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００８２】
画像信号処理回路４１は、入力された画像信号をサブフィールド毎の発光・非発光を示す画像データに変換する。データ電極駆動回路４２はサブフィールド毎の画像データを各データ電極Ｄ１〜Ｄｍに対応する信号に変換し各データ電極Ｄ１〜Ｄｍを駆動する。タイミング発生回路４５は水平同期信号および垂直同期信号をもとにして各回路ブロックの動作を制御する各種のタイミング信号を発生し、それぞれの回路ブロックへ供給する。走査電極駆動回路４３はタイミング信号にもとづいて各走査電極ＳＣ１〜ＳＣｎをそれぞれ駆動し、維持電極駆動回路４４はタイミング信号にもとづいて維持電極ＳＵ１〜ＳＵｎを駆動する。
【００８３】
図１０は、本発明の実施の形態におけるプラズマディスプレイ装置１００の走査電極駆動回路４３および維持電極駆動回路４４の回路図である。
【００８４】
走査電極駆動回路４３は、維持パルス発生回路５０、初期化波形発生回路６０、走査パルス発生回路７０を備えている。維持パルス発生回路５０は、走査電極ＳＣ１〜ＳＣｎに電圧Ｖｓを印加するためのスイッチング素子Ｑ５５と、走査電極ＳＣ１〜ＳＣｎに０（Ｖ）を印加するためのスイッチング素子Ｑ５６と、走査電極ＳＣ１〜ＳＣｎに維持パルスを印加する際の電力を回収するための電力回収部５９とを有する。初期化波形発生回路６０は、走査電極ＳＣ１〜ＳＣｎに上り傾斜波形電圧を印加するためのミラー積分回路６１と、走査電極ＳＣ１〜ＳＣｎに下り傾斜波形電圧を印加するためのミラー積分回路６２とを有する。なおスイッチング素子Ｑ６３およびスイッチング素子Ｑ６４は、他のスイッチング素子の寄生ダイオード等を介して電流が逆流することを防ぐために設けている。走査パルス発生回路７０は、フローティング電源Ｅ７１と、フローティング電源Ｅ７１の高圧側の電圧または低圧側の電圧を走査電極ＳＣ１〜ＳＣｎのそれぞれに印加するためのスイッチング素子Ｑ７２Ｈ１〜Ｑ７２Ｈｎ、Ｑ７２Ｌ１〜Ｑ７２Ｌｎと、フローティング電源Ｅ７１の低圧側の電圧を電圧Ｖａに固定するスイッチング素子Ｑ７３を有する。
【００８５】
維持電極駆動回路４４は、維持パルス発生回路８０、初期化・書込み電圧発生回路９０を備えている。維持パルス発生回路８０は、維持電極ＳＵ１〜ＳＵｎに電圧Ｖｓを印加するためのスイッチング素子Ｑ８５と、維持電極ＳＵ１〜ＳＵｎに０（Ｖ）を印加するためのスイッチング素子Ｑ８６と、維持電極ＳＵ１〜ＳＵｎに維持パルスを印加する際の電力を回収するための電力回収部８９とを有する。初期化・書込み電圧発生回路９０は、維持電極ＳＵ１〜ＳＵｎに電圧Ｖｅ１を印加するためのスイッチング素子Ｑ９２およびダイオードＤ９２と、維持電極ＳＵ１〜ＳＵｎに電圧Ｖｅ２を印加するためのスイッチング素子Ｑ９４およびダイオードＤ９４とを有する。
【００８６】
なお、これらのスイッチング素子は、ＭＯＳＦＥＴやＩＧＢＴ等の一般に知られた素子を用いて構成することができる。またこれらのスイッチング素子は、タイミング発生回路４５で発生したそれぞれのスイッチング素子に対応するタイミング信号により制御される。
【００８７】
なお、図１０に示した駆動回路は、図７および図８に示した駆動電圧波形を発生させる回路構成の一例であって、本発明のプラズマディスプレイ装置は、この回路構成に限定されるものではない。
【００８８】
また、実施の形態において用いた具体的な各数値は、単に一例を挙げたに過ぎず、パネルの特性やプラズマディスプレイ装置の仕様等にあわせて、適宜最適な値に設定することが望ましい。
【産業上の利用可能性】
【００８９】
本発明のプラズマディスプレイ装置は、高速かつ安定した書込み動作を行い、擬似輪郭が発生することなくかつ滑らかな階調を表示することができる画像表示品質の優れた画像を表示することができるのでディスプレイ装置として有用である。
【図面の簡単な説明】
【００９０】
【図１】本発明の実施の形態におけるパネルの構造を示す斜視図
【図２】同パネルの前面板の構成を示す断面図
【図３】同パネルの凝集粒子の一例を示す図
【図４】同パネルを含む試作パネルの電子放出性能と電荷保持性能とを示す図
【図５】（ａ）は試作パネルの単結晶粒子の粒径を変化させて電子放出性能を調べた実験結果を示す図、（ｂ）は試作パネルの単結晶粒子の粒径と隔壁の破損との関係を示す図
【図６】本発明の実施の形態におけるパネルの電極配列を示す図
【図７】同パネルの各電極に印加する駆動電圧波形図
【図８】同パネルの各電極に印加する駆動電圧波形図
【図９】本発明の実施の形態におけるプラズマディスプレイ装置の回路ブロック図
【図１０】同プラズマディスプレイ装置の走査電極駆動回路および維持電極駆動回路の回路図
【符号の説明】
【００９１】
１０    パネル
２０    前面板
２１    （第１の）ガラス基板
２２    走査電極
２２ａ，２３ａ    透明電極
２２ｂ，２３ｂ    バス電極
２３    維持電極
２４    表示電極対
２５    誘電体層
２６    保護層
２６ａ    下地保護層
２６ｂ    粒子層
２７    単結晶粒子
２８    凝集粒子
３０    背面板
３１    （第２の）ガラス基板
３２    データ電極
３４    隔壁
３５    蛍光体層
４１    画像信号処理回路
４２    データ電極駆動回路
４３    走査電極駆動回路
４４    維持電極駆動回路
４５    タイミング発生回路
５０，８０    維持パルス発生回路
６０    初期化波形発生回路
７０    走査パルス発生回路
１００    プラズマディスプレイ装置
【図１】
2009258466.tif 000003
【図２】
2009258466.tif 000004
【図３】
2009258466.tif 000005
【図４】
2009258466.tif 000006
【図５】
2009258466.tif 000007
【図６】
2009258466.tif 000008
【図７】
2009258466.tif 000009
【図８】
2009258466.tif 000010
【図９】
2009258466.tif 000011
【図１０】
2009258466.tif 000012